(57)【特許請求の範囲】
【請求項１】
通信サービスの開始前に予め接続先へのコネクションを固定的に設定するＡＴＭスイッチ又はパケット交換機を接続ノードとして含むネットワークシステムにおいて、
要求された通信サービスの予約情報を登録し、該予約された通信サービスの実行を管理する通信サービス予約実行管理部と、
前記通信サービス予約実行管理部と連係し、要求された通信サービスの提供時にのみ、該通信サービスに応じたコネクションを設定し、該通信サービスの終了時に該コネクション設定情報を削除するコネクション設定制御部と、
前記通信サービス予約実行管理部及びコネクション設定制御部と連係し、通信サービスに応じたネットワーク運用構成を管理する通信サービス運用管理部と、
前記コネクション設定制御部と連係し、ネットワークにおける接続ノードを含む通信機器の運用構成を管理するネットワーク運用管理部と、を備え、
前記コネクション設定制御部は、前記ネットワーク運用管理部から通知される通信機器の障害発生情報に対し、前記通信サービス運用管理部及びネットワーク運用管理部と連係し、通信サービスに影響するコネクションの障害発生かどうかを判定し、通信サービスに影響する場合に、該障害発生通信機器を迂回するコネクションを設定し直す手段を備えたことを特徴とする通信サービスに応じたコネクション設定制御システム。
【請求項２】
前記通信サービスの予約情報、コネクション設定情報、通信サービスに応じたネットワーク運用構成を示す通信サービス運用情報、及びネットワークにおける通信機器の運用構成を示すネットワーク運用情報を、相互に連係させるとともに、連係させたこれらの情報を基に、要求された通信サービスに応じて、前記通信サービス予約実行管理部、コネクション設定制御部、通信サービス運用管理部、及びネットワーク運用管理部を起動させる運用リソースコリレーション機構部を備えたことを特徴とする請求項１に記載の通信サービスに応じたコネクション設定制御システム。
【発明の詳細な説明】
【０００１】
【発明の属する技術分野】
本発明は、各種の通信サービスを供給するネットワークにおける、通信サービスに応じたコネクション設定制御システムに関し、特に、伝送装置やＡＴＭ（Asynchronous Transfer Mode）スイッチ又はパケット交換機等の多数の通信機器を接続して構成されるネットワークにおいて、要求された通信サービスに応じてコネクションの設定・解除の制御を行うコネクション設定制御システムに関する。
【０００２】
上記のネットワークにおけるコネクションの設定・解除の制御は、通信サービス運用管理システム、ネットワーク運用管理システム、通信機器管理システム等の複数の管理システムを使用して行われ、それらの管理システム間ではＲＰＣ（Remote Procedure Call ）、通信機器管理システムと通信機器間ではＳＮＭＰ（Simple Network Management Protocol）、Ｔｅｌｎｅｔ、ＦＴＰ（File Transfer Protocol）等を主体とする通信プロトコルが用いられる。本発明はそれらの通信プロトコルにより制御情報を相互に送受し、要求された通信サービスに応じてネットワークのコネクションの設定・解除を制御するコネクション設定制御システムに関する。
【０００３】
【従来の技術】
従来、ネットワークにおけるコネクション設定は、ＡＴＭスイッチやパケット交換機等の通信機器導入し、又は新規にＡＴＭ回線等を導入してネットワークを構築したときに、固定的に特定の通信相手先に設定し、該固定的なコネクションを利用して多量の情報データを高速に伝送する通信が行なわれることが多い。
【０００４】
このような固定接続型コネクション（ＰＶＣ；Permanent Virtual Connection）による通信サービスでは、通信回線利用者としては、どのような通信情報を回線に流すにしても、固定接続型コネクション（ＰＶＣ）による特定接続先へ通信情報を配送することしかできず、また、ネットワーク管理者としても、コネクションが固定設定であるため、ネットワークリソースの有効活用を図ることができない。
【０００５】
また、継続的な接続を必要としない、例えば、ビデオ・オン・デマンド（ＶＯＤ；Video On Demand ）等の通信サービスを供給するためのコネクションとして、通信サービスを要求するユーザの発呼操作により、通信相手同士の間にコネクションを通信期間中のみ設定する切換え接続型コネクション（ＳＶＣ；Switched Virtual Connection ）の設定機能をネットワークの通信機器に搭載し、該切換え接続型コネクション（ＳＶＣ）を使用して発呼要求に応じた通信サービスを提供することが行われていた。
【０００６】
【発明が解決しようとする課題】
ＡＴＭ網等のネットワーク上では、ネットワーク上に種々の形態の通信サービスが展開され、それぞれの通信サービスの形態に応じ、また各通信サービスの運用状況に応じて、ネットワーク管理システムにより各通信機器を制御してコネクションを設定する必要があるが、従来の固定接続型コネクション（ＰＶＣ）では、通信サービスを必要とする時だけ、その通信サービスのタイプに応じたコネクションを設定するという制御を行うことができない。
【０００７】
一方、切換え接続型コネクション（ＳＶＣ）により、通信サービスを必要とする時だけコネクションを設定するネットワーク管理を行う場合、通信相手先までに至る全ての経路の通信機器に、切換え接続型コネクション（ＳＶＣ）設定機能が搭載されていなければならない。
【０００８】
また、切換え接続型コネクション（ＳＶＣ）を設定する場合、通信サービスを必要とする発呼者が手動による発呼操作を行い、シグナリング手順を経てコネクションを設定するため、一度設定されたコネクション上に通信機器又は回線の障害が発生した場合に、迂回路で最適ルートのコネクションを設定し直すことなどが困難であった。
【０００９】
このように、従来の通信機器主体のコネクション設定制御では、要求のあった通信サービスに対応したコネクションの設定や、通信サービス中の障害発生時における迂回コネクション設定等のコネクション設定制御が困難であった。
【００１０】
本発明は、固定接続型コネクション（ＰＶＣ）を設定する機能しか有していない通信機器を含むネットワークにおいても、要求された通信サービス、各通信サービスの運用状況に応じてコネクションを設定することができ、また、通信サービス提供中に通信機器障害等が発生した場合でも、発生した障害状況に対応したコネクション設定管理（再接続、切断等のコネクションの制御）を行い、高品質な通信サービスの運用を図ることができるコネクション設定制御システムを提供することを目的とする。
【００１１】
【課題を解決するための手段】
上記課題を解決するために本発明は、（１）通信サービスの開始前に予め接続先へのコネクションを固定的に設定するＡＴＭスイッチ又はパケット交換機を接続ノードとして含むネットワークシステムにおいて、要求された通信サービスの予約情報を登録し、該予約された通信サービスの実行を管理する通信サービス予約実行管理部と、前記通信サービス予約実行管理部と連係し、要求された通信サービスの提供時にのみ、該通信サービスに応じたコネクションを設定し、該通信サービスの終了時に該コネクション設定情報を削除するコネクション設定制御部と、前記通信サービス予約実行管理部及びコネクション設定制御部と連係し、通信サービスに応じたネットワーク運用構成を管理する通信サービス運用管理部と、前記コネクション設定制御部と連係し、ネットワークにおける接続ノードを含む通信機器の運用構成を管理するネットワーク運用管理部と、を備えたものである。
【００１２】
また、（２）前記通信サービス予約実行管理部は、要求された通信サービスの開始時刻及び終了時刻を含む予約情報を、通信サービス予約情報データベース部に登録する手段と、該通信サービス予約情報データベース部に登録された通信サービスの開始時刻及び終了時刻を監視し、該通信サービスの提供のためのコネクションの設定を、該予約情報を基にスケジューリングする手段と、を備えたものである。
【００１３】
また、（３）前記コネクション設定制御部は、要求された通信サービスに応じたコネクションを、前記ネットワーク運用管理部と連係して設定し、該設定したコネクションの設定情報を、コネクション設定情報データベース部に登録するとともに、該通信サービスの終了後に、該コネクションの設定情報をコネクション設定情報データベース部から削除する手段を備えたものである。
【００１４】
また、（４）前記コネクション設定制御部は、前記ネットワーク運用管理部から通知される通信機器の障害発生情報に対し、前記通信サービス運用管理部及びネットワーク運用管理部と連係し、通信サービスに影響するコネクションの障害発生かどうかを判定し、通信サービスに影響する場合に、該障害発生通信機器を迂回するコネクションを設定しなおす手段を備えたものである。
【００１５】
また、（５）前記通信サービスの予約情報、コネクション設定情報、通信サービスに応じたネットワーク運用構成を示す通信サービス運用情報、及びネットワークにおける通信機器の運用構成を示すネットワーク運用情報を、相互に連係させるとともに、連係させたこれらの情報を基に、要求された通信サービスに応じて、前記通信サービス予約実行管理部、コネクション設定制御部、通信サービス運用管理部、及びネットワーク運用管理部を起動させる運用リソースコリレーション機構部を備えたものである。
【００１６】
このような構成により、通信サービスの提供が必要なときだけ、該通信サービスのタイプに合わせたコネクションを設定し、また、該コネクション上に発生した障害の状況に応じて、迂回コネクションの設定・障害コネクションの削除等のコネクションを設定制御を行うことができる。
【００１７】
【発明の実施の形態】
図１は、本発明の通信サービスに応じたコネクション設定制御システムの機能ブロックを示す。コネクション設定制御システム１００は、通信サービス予約実行管理部１と、通信サービス予約情報データベース部２と、コネクション設定制御部３と、コネクション設定情報データベース部４と、通信サービス運用管理部５と、通信サービス運用情報データベース部６と、ネットワーク運用管理部７と、ネットワーク運用情報データベース部８と、運用リソースコリレーション機構部９と、通信機器管理部１０とから構成される。
【００１８】
通信サービス予約実行管理部１は、要求された通信サービスに使用されるＡＴＭスイッチ等の接続ノード情報及び通信サービスの末端機器（エッジ）情報等を含む通信サービス予約情報を、通信サービス予約情報データベース部２に登録すると共に、登録された通信サービス予約情報を基に、通信サービスのスケジューリング及びその実行を管理する。
【００１９】
コネクション設定制御部３は、ネットワークにおけるコネクションの経路決定及び該経路のコネクション設定制御を行い、コネクション設定情報をコネクション設定情報データベース部４に登録し、コネクションの設定・解除の制御を行う。
【００２０】
通信サービス運用管理部５は、運用中の通信サービスの種別対応にネットワーク構成を管理し、サービス定義個別ファイルを通信サービス運用情報データベース部６に保持する。ネットワーク運用管理部７は、ネットワークを構成するノードやリンク等の構成情報や障害発生情報を収集し、コネクション設定要求に対応したクロスコネクト設定を実現し、クロスコネクト設定項目定義ファイル等をネットワーク運用情報データベース部８に格納し、それらの情報を通信サービス運用管理部５等に通知する機能を有する。
【００２１】
通信機器管理部１０は、ＡＴＭスイッチ等の通信機器１１を制御してネットワーク上にコネクションを設定し、設定したコネクションを解除し、また、各通信機器１１の障害監視等を行って、通信機器１１を管理する機能を有する。
【００２２】
なお、上記通信サービス運用管理部５及びネットワーク運用管理部７は、本願出願人による先の出願の特願平１１−００３６４５号「ネットワーク管理方法及びネットワーク管理システム」において、サービス管理サーバ及びネットワーク管理サーバとして開示したものに対応する。
【００２３】
運用リソースコリレーション機構部９は、通信サービス予約情報データベース部２、コネクション設定情報データベース部４、通信サービス運用情報データベース部６及びネットワーク運用情報データベース部８の各データベース情報を連係させる機能を有する。
【００２４】
そして、運用リソースコリレーション機構部９のデータベース連係機能を利用し、通信サービス予約実行管理部１、コネクション設定制御部３、通信サービス運用管理部５及びネットワーク運用管理部７の連携動作により、必要時間帯のみの通信サービスに応じたコネクションを設定するコネクション設定制御システムが実現される。
【００２５】
図２は本発明の運用リソースコリレーション機構部の連係構成を示している。運用リソースコリレーション機構部によって連係されるデータベース情報は、
▲１▼通信サービス名、通信機器（接続ノード、エッジ）情報、接続開始・終了時間等を保持する通信サービス予約情報データベース部２の情報、
▲２▼提供中の通信サービスで使用されているコネクション設定情報を保持するコネクション設定情報データベース部４の情報、
▲３▼通信サービス名、通信サービスに必要なコネクションのパラメータ、通信サービスの障害レベルを保持する通信サービス運用情報データベース部６の情報、
▲４▼管理対象となるネットワークの通信機器の設定情報及び障害情報を含むネットワーク運用情報を保持するネットワーク運用情報データベース８の情報である。
【００２６】
運用リソースコリレーション機構部によって連係されるデータベース情報に基づき、通信サービス予約実行管理部１、コネクション設定制御部３、通信サービス運用管理部５及びネットワーク運用管理部７は、それぞれ、各管理機能の実行制御が起動される。
【００２７】
図３は障害発生時の本発明によるコネクション設定制御の例を示す。通信機器に障害が発生すると、ネットワーク運用管理部７において該障害情報が収集され、ネットワーク運用管理部７によりネットワーク運用情報データベース部８の情報が更新（３−１）される。
【００２８】
その更新を受け、運用リソースコリレーション機構部は、コネクション設定情報データベース部４との関連（３−２）及び通信サービス運用情報データベースとの関連（３−３）を調べ、該障害が通信サービスの提供に使用されているコネクションでの障害であるか否か、また、障害レベルより該通信サービスに影響が有るかどうかをチェックする。
【００２９】
そして、当該通信サービスに使用されているコネクションでの障害であり、かつ、該通信サービスの提供に影響が有ると判断された場合、運用リソースコリレーション機構部は、障害イベントと共に、コネクション設定制御部３及びネットワーク運用管理部７を起動（３−４，３−５）する。
【００３０】
コネクション設定制御部３及びネットワーク運用管理部７は、連携して該通信サービスを提供するコネクションの迂回経路を決定し、該迂回経路のコネクションを設定する。そして、該迂回経路のコネクション設定情報を、コネクション設定情報データベース部４に更新登録（３−６）する。
【００３１】
図４は本発明による通信サービス予約登録時の各管理部の連係を示す。通信サービス利用者又はネットワーク管理者から通信サービス予約実行管理部１に、開始時刻・終了時刻情報、通信相手情報、通信サービス種類情報等を含む通信サービス予約情報の登録要求（４−１）が送られる。
【００３２】
通信サービス予約実行管理部１は、該通信サービス予約情報を通信サービス予約情報データベース部２に保存（４−２）する。通信サービス予約情報データベース部２に保存されたデータは、運用リソースコリレーション機構部により、通信サービス運用情報データベース部６とネットワーク運用情報データベース部８と連係する。そして、運用リソースコリレーション機構部により連係された通信サービス予約情報を基に、コネクション設定制御部３はコネクションの設定制御を行う。
【００３３】
図５及び図６は上記本発明の通信サービス予約登録のフローを示す。同図は、通信サービス利用者又はネットワーク管理者により操作されるＧＵＩ（Graphical User Interface）入出力手段、通信サービス予約実行管理部、前述の通信サービス予約情報データベースを含む各種のデータベース、運用リソースコリレーション機構部、通信サービス運用管理部及びネットワーク運用管理部の連携による通信サービス予約登録動作のフローを示す。
【００３４】
ＧＵＩ入出力手段により通信サービス予約情報が送出されると、通信サービス予約実行管理部は、該通信サービス予約情報をデータベースに保存（５−１）する。データベースの更新を契機とし、運用リソースコリレーション機構部は、通信サービス予約情報の登録を検知（５−２）し、要求された通信サービスをデータベースと照合（５−３）し、データベースに登録済みの通信サービスであるか判定（５−４）する。
【００３５】
要求された通信サービスがデータベースに登録されていない場合、運用リソースコリレーション機構部は通信サービス運用管理部を起動（５−５）し、通信サービス運用管理部はＧＵＩ入出力手段に通信サービス入力要求画面を表示（５−６）し、ＧＵＩ入出力手段は通信サービス運用情報を入力（５−７）する。
【００３６】
通信サービス運用管理部はＧＵＩ入出力手段の入力内容を判定（５−８）し、入力内容がキャンセルを示す内容であれば、その内容が運用リソースコリレーション機構部に通知（５−９）され、運用リソースコリレーション機構部は、通信サービス予約情報の削除要求（５−１０）を、通信サービス予約実行管理部に送出する。
【００３７】
通信サービス予約実行管理部は、通信サービス予約情報の削除（５−１１）をデータベースに対して行い、また、通信サービス予約登録失敗のメッセージ（５−１２）をＧＵＩ入出力手段に送出する。
【００３８】
通信サービス運用管理部は、前述の入力内容判定（５−８）において、入力内容が通信サービス運用情報であれば、該通信サービス運用情報をデータベースに保存（５−１３）し、該保存により、運用リソースコリレーション機構部は、通信サービス運用情報登録を検知（５−１４）する。
【００３９】
運用リソースコリレーション機構部は、前述のデータベースに登録済みの通信サービスであるかの判定（５−４）において、登録済みの通信サービスであると判定された場合、又は、前述の通信サービス運用情報登録検知（５−１４）がなされた場合、該通信サービスの提供に必要な通信機器を確認（６−１）し（以降のフローは図６参照）、該通信機器がこの通信ネットワーク管理システムの監視対象の通信機器であるかどうかを判定（６−２）する。
【００４０】
監視対象の通信機器となっていない場合は、ネットワーク運用管理部を起動（６−３）し、ネットワーク運用管理部は、ＧＵＩ入出力手段に該通信機器（ノード）の登録画面を表示（６−４）させる。ＧＵＩ入出力手段は、その表示画面から通信機器情報を入力（６−５）する。
【００４１】
ネットワーク運用管理部は、ＧＵＩ入出力手段からの入力内容を判定（６−６）し、入力内容がキャンセルを示す内容であれば、その内容が運用リソースコリレーション機構部に通知（６−７）され、運用リソースコリレーション機構部は、通信サービス予約情報の削除要求（６−８）を、通信サービス予約実行管理部に送出する。
【００４２】
通信サービス予約実行管理部は、通信サービス予約情報の削除（６−９）をデータベースに対して行い、また、通信サービス予約登録失敗のメッセージ（６−１０）をＧＵＩ入出力手段に送出する。
【００４３】
ネットワーク運用管理部は、前述の入力内容判定（６−６）において、入力内容が通信機器登録情報であれば、該通信機器情報をデータベースに登録（６−７）し、該登録により、運用リソースコリレーション機構部は、通信機器情報登録を検知（６−８）する。
【００４４】
運用リソースコリレーション機構部は、前述の監視対象の通信機器であるかどうかの判定（６−２）において、監視対象の通信機器であると判定された場合、又は、前述の通信機器情報登録の検知（６−８）がなされた場合、通信サービス予約登録完了の旨を、通信サービス予約実行管理部に通知（６−９）する。通信サービス予約実行管理部は、該通知を受け取ると、ＧＵＩ入出力手段に、通信サービス予約登録完了メッセージを表示（６−１０）させる。
【００４５】
図７は本発明の通信サービス予約によるコネクション設定時の各データベースの連係を示す。通信サービス予約実行管理部１は、通信サービス予約情報データベース部２に保存された通信サービスの開始時刻を監視し、該開始時刻に、運用リソースコリレーション機構部により、通信サービス予約情報データベース部２に保存された通信サービス情報と、通信サービス運用情報データベース部６及びネットワーク運用情報データベース部８と連係する。
【００４６】
そして、運用リソースコリレーション機構部により連係された通信サービス情報を基に、コネクション設定制御部３はコネクションの設定制御を行い、その設定情報をコネクション設定情報データベース部４に保持する。
【００４７】
図８は上記本発明の通信サービス予約によるコネクション設定のフロー図を示す。同図は、前述の通信サービス予約情報データベースを含む各種のデータベース、運用リソースコリレーション機構部、コネクション設定制御部、ネットワーク運用管理部、通信機器管理部及び通信機器の連携動作のフローを示す。
【００４８】
運用リソースコリレーション機構部は、データベースに保存された通信サービス予約情報から、該通信サ一ビスの提供開始時間を検知（８−１）すると、コネクション設定制御部を起動（８−２）する。さらに、該通信サービスの提供に必要なサービス定義ファイル及びネットワーク運用情報を取得し、コネクション設定制御部に通知（８−３）する。
【００４９】
コネクション設定制御部では、通知されたネットワーク運用情報を基に、コネクションの経路を決定（８−４）し、サービス定義ファイルより取得した共通パラメータでもって、コネクションの設定要求（８−５）をネットワーク運用管理部に送信する。
【００５０】
ネットワーク運用管理部は、設定要求されたコネクションの対象となる通信機器（ノード）のタイプを確認（８−６）し、通信機器管理部にコネクション設定要求（８−７）を送信する。通信機器管理部は、受取ったコネクション設定要求の共通パラメータに通信機器個別パラメータを付加し、通信機器にコネクション設定要求（８−８）を送信する。
【００５１】
コネクション設定要求を受けた通信機器は、コネクションを設定し、通信機器管理部を経由して、設定応答（８−９，８−１０）をネットワーク運用管理部に返送する。ネットワーク運用管理部は、設定応答の受信によりコネクションが正常に設定されたかを判定（８−１１）する。正常に設定された場合、前記通信機器のタイプ確認（８−６）からコネクション正常設定の判定（８−１１）までの動作フローを、経路上に存在する通信機器（ノード）分について繰返し行う。
【００５２】
前記コネクション正常設定の判定（８−１１）において、正常設定がなされないと判定された場合には、その旨をコネクション設定制御部に通知し、コネクション設定制御部は別の経路を探索（８−１２）し、別の経路について、前記通信機器のタイプ確認（８−６）から同様の動作フローを繰返して行う。
【００５３】
前記コネクション正常設定の判定（８−１１）において、全てのノードについて正常設定がなされたと判定された場合には、コネクションにおける全通信機器（ノード）の設定完了（８−１３）がコネクション設定制御部に通知され、コネクション設定制御部は、データベース部に対してネットワーク設定情報の登録（８−１４）を行う。
【００５４】
図９は本発明の通信サービス予約によるコネクション解除時の各管理部の連係を示す。通信サービス予約実行管理部１は、通信サービス予約情報データベース部２に保存された通信サービスの終了時刻を監視し、該終了時刻に、運用リソースコリレーション機構部により、通信サービス予約情報データベース部２に保存された通信サービス情報とコネクション設定情報データベース部４と連係する。そして、運用リソースコリレーション機構部により連係された通信サービス情報を基に、コネクション設定制御部３はコネクションの解除を行う。
【００５５】
図１０は上記本発明の通信サービス予約によるコネクション解除のフローを示す。同図は、前述の通信サービス予約情報データベースを含む各種のデータベース、運用リソースコリレーション機構部、コネクション設定制御部、ネットワーク運用管理部、通信機器管理部及び通信機器の連携動作のフローを示す。
【００５６】
運用リソースコリレーション機構部は、データベースに保存された通信サービス予約情報から、該通信サ一ビスの提供終了時間を検知（１０−１）すると、コネクション設定制御部を起動（１０−２）し、コネクション削除を通知（１０−３）する。さらに、運用リソースコリレーション機構部は、該通信予約サービスのコネクション設定内容をネットワーク運用管理部に通知（１０−４）し、コネクション削除（１０−５）を要求する。
【００５７】
ネットワーク運用管理部は、削除要求のあったコネクションの通信機器（ノード）のタイプを確認（１０−６）し、通信機器管理部にコネクション削除要求（１０−７）を送信する。通信機器管理部は、受取ったコネクション削除要求の共通パラメータに通信機器個別パラメータを付加し、通信機器にコネクション削除要求（１０−８）を送信する。
【００５８】
コネクション削除要求を受けた通信機器は、そのコネクションを解除し、通信機器管理部を経由して、削除応答（１０−９，１０−１０）をネットワーク運用管理部に返送する。ネットワーク運用管理部は、削除応答の受信によりコネクションが正常に削除されたかを判定（１０−１１）する。前記通信機器のタイプ確認（１０−６）からコネクション正常削除の判定（１０−１１）までの動作フローを、コネクション上に存在する通信機器（ノード）分について繰返し行う。
【００５９】
コネクション上に存在する通信機器（ノード）分の全てについて、コネクション正常削除の判定（１０−１１）がなされると、ネットワーク運用管理部は、コネクションにおける全通信機器（ノード）の削除完了（１０−１２）を、コネクション設定制御部に通知し、コネクション設定制御部は該通知により、データベース部に対してネットワーク設定情報の削除（１０−１３）を行う。
【００６０】
図１１は本発明の障害発生時のコネクション制御における各データベースの連係を示す。通信機器に障害が発生すると、ネットワーク運用管理部７によりネットワーク運用情報データベース部８が更新される。運用リソースコリレーション機構部は、ネットワーク運用情報データベース部８に連係するコネクション設定情報データベース部４及び通信サービス運用情報データベース部６とを調べ、該障害が通信サービスの提供に影響が有るかどうかをチェックする。
【００６１】
そして、通信サービスの提供に影響がある場合、運用リソースコリレーション機構部は、コネクション設定制御部３及びネットワーク運用管理部７を起動し、該通信サービスを提供する迂回経路を決定し、該迂回経路のコネクションを設定する。
【００６２】
図１２、図１３及び図１４は上記本発明の障害発生時におけるコネクション制御のフローを示し、前述の通信サービス予約情報データベースを含む各種のデータベース、運用リソースコリレーション機構部、コネクション設定制御部、ネットワーク運用管理部、通信機器管理部及び通信機器の連携動作のフローを示す。
【００６３】
通信機器からの障害発生通知（１２−１，１２−２）を受信したネットワーク運用管理は、データベースに対して通信機器障害によるネットワーク運用情報の更新（１２−３）を行う。運用リソースコリレーション機構は、ネットワーク運用情報の更新を検知（１２−４）し、コネクション設定情報及び通信サービスの障害レベルを確認（１２−５，１２−６）し、該通信サービスに該障害が関係するか否かを判定（１２−７）する。
【００６４】
障害が通信サービスに関係する場合、運用リソースコリレーション機構部は、コネクション設定制御部を起動（１２−８）すると共に、コネクション設定制御部にネットワーク運用情報を通知（１２−９）する。コネクション設定制御部は、該通知により迂回経路を決定（１２−１０）し、ネットワーク運用管理部に該迂回経路のコネクション設定要求（１３−１）を行う（以降のフローは図１３参照）。
【００６５】
コネクション設定要求を受けたネットワーク運用管理部は、前述の図８に示したコネクション設定フロー（８−６から８−１３）と同様のフローにより、コネクション設定（１３−２から１３−９）を行う。迂回経路のコネクション設定完了後、コネクション設定制御部は、データベースに対してコネクション設定情報の更新（１３−１０）を行う。
【００６６】
一方、運用リソースコリレーション機構部は、コネクション設定制御部にコネクション削除の通知（１４−１）を行い（以降のフローは図１４参照）、また、データベースにおけるコネクション設定情報の更新を検知（１４−２）し、ネットワーク運用管理部に対して既存コネクションの削除の要求（１４−３）を行う。
【００６７】
コネクションの削除要求を受けたネットワーク運用管理部は、前述の図１０に示したコネクション解除のフロー（１０−６から１０−１３）と同様のフロー（１４−４から１４−１１）により、ネットワーク設定情報の削除を行う。
【００６８】
【実施例】
図１５は本発明を適用したネットワーク構成例を示す図である。同図は企業体等のネットワーク上で、ビデオ・オン・デマンド（ＶＯＤ）サービス及びテレビ会議サービスの通信サービスを提供する例を示している。
【００６９】
同図に示すように、本社又は本店において、通信サービス運用管理及びネットワーク運用管理を行う運用管理装置１５−１と、通信サービス予約管理装置１５−２と、コネクション設定制御装置１５−３と、テレビ会議制御システム１５−４と、ＡＴＭスイッチ１５−５とが、ローカルエリアネットワークを介して相互に接続される。
【００７０】
本社又は本店のＡＴＭスイッチ１５−５には、テレビ会議端末１５−６がテレビ会議制御システム１５−４を介して接続され、更に、ＡＴＭスイッチ１５−５には画像データ格納装置ＶＳＳ（Video Storage Server）１５−７やＳＲＭ（Session Resource Manager）装置１５−８等が接続されている。
【００７１】
一方、支社又は支店において、本社又は本店のＡＴＭスイッチ１５−５と接続されるＡＴＭスイッチ１５−９を備え、支社又は支店のＡＴＭスイッチ１５−９は、符号化復号化装置（ＣＯＤＥＣ）１５−１０介してテレビ会議端末１５−１１と接続され、更に支社又は支店のＡＴＭスイッチ１５−９には、オプティカルネットワークユニット（ＯＮＵ）１５−１２が接続され、該オプティカルネットワークユニット（ＯＮＵ）１５−１２にはセットトップボックス（ＳＴＢ）１５−１３等が接続されている。
【００７２】
このようなネットワークシステムにおいて、本発明によるコネクション制御の処理フローを以下に記す。
１．通信サービス予約管理装置１５−２より、ビデオ・オン・デマンド（ＶＯＤ）サービスを提供するノード情報（ＡＴＭスイッチ１５−５，１５−９）、ビデオ・オン・デマンドサービスの開始時間“９：００”、その終了時間“１１：００”、サービス名“ＶＯＤ”を登録する。
【００７３】
２．また、通信サービス予約管理装置１５−２より、テレビ会議サービスを提供するノード情報（ＡＴＭスイッチ１５−５，１５−９）、テレビ会議サービスの開始時間“１３：００”、その終了時間“１７：３０”、サービス名“テレビ会議”を登録する。
【００７４】
３．通信サービス予約管理装置１５−２は、登録されている予約情報に従い、ビデオ・オン・デマンド（ＶＯＤ）サービスの開始時間“９：００”にコネクション設定制御装置１５−３に対し、コネクション設定要求を送信する。
【００７５】
４．コネクション設定要求を受信したコネクション設定制御装置１５−３は、運用管理装置１５−１に対し、ＡＴＭスイッチ１５−５，１５−９間（図中点線）の接続要求を行う。ＡＴＭスイッチ１５−５は、該接続要求によりＡＴＭスイッチ１５−９に対してコネクションを設定する。
【００７６】
５．通信サービス予約管理装置１５−２は、登録されている予約情報に従い、ビデオ・オン・デマンド（ＶＯＤ）サービスの終了時間“１１：００”に、コネクション設定制御装置１５−３に対して切断（コネクション解除）要求を送信する。
【００７７】
６．切断要求を受信したコネクション設定制御装置１５−３は、運用管理装置１５−１に対し、ＡＴＭスイッチ１５−５，１５−９間の切断要求を行う。ＡＴＭスイッチ１５−５は、該切断要求によりＡＴＭスイッチ１５−９とのコネクションを解除する。以上により、ビデオ・オン・デマンド（ＶＯＤ）サービスの予約通信サービスに対するコネクションの設定・解除の制御を終了する。
【００７８】
７．次に、通信サービス予約管理装置１５−２は、登録されている予約情報に従い、テレビ会議サービスの開始時間“１３：００”に、コネクション設定制御装置１５−３に対し、コネクション設定要求を送信する。
【００７９】
８．コネクション設定要求を受信したコネクション設定制御装置１５−３は、運用管理装置１５−１に対し、ＡＴＭスイッチ１５−５，１５−９間の接続及びＡＴＭスイッチ１５−５とテレビ会議制御システム１５−４との接続（図中実線）の要求を行う。ＡＴＭスイッチ１５−５は、該接続要求によりＡＴＭスイッチ１５−９及びテレビ会議制御システム１５−４に対してコネクションを設定する。
【００８０】
９．通信サービス予約管理装置１５−２は、登録されている予約情報に従い、テレビ会議サービスの終了時間“１７：００”にコネクション設定制御装置１５−３に対し、切断（コネクション解除）要求を送信する。
【００８１】
１０．切断要求を受信したコネクション設定制御装置１５−３は、運用管理装置１５−１に対し、ＡＴＭスイッチ１５−５，１５−９間及びＡＴＭスイッチ１５−５とテレビ会議制御システム１５−４の切断要求を行う。ＡＴＭスイッチ１５−５は、該切断要求によりＡＴＭスイッチ１５−９及びテレビ会議制御システム１５−４との接続を解除する。以上により、テレビ会議サービスの予約通信サービスに対するコネクションの設定・解除の制御を終了する。
【００８２】
【発明の効果】
以上説明したように、本発明によれば、各通信サービスの提供に合わせてコネクションの設定、解除の制御を行うことにより、ネットワークリソースの有効活用を図ることができる。また、要求された通信サービスに応じてコネクションを設定するため、通信サービスのタイプに合わせたコネクションの設定が可能となる。
【００８３】
また、継続的な接続を必要としないという理由で、切換え接続型コネクション（ＳＶＣ）を使用していた通信サービスも、本発明を適用した固定接続型コネクション（ＰＶＣ）のネットワークで提供可能となるため、転送速度の高い固定接続型コネクション（ＰＶＣ）接続をネットワーク上に自在に設定可能となる。
【００８４】
また、通信機器に障害が発生したときでも、提供中の通信サービスへの影響を判定し、発生した障害のレベルに応じて迂回コネクションの設定、切断等のコネクション制御を行うことにより、通信サービスの信頼性を向上させることができる。
【００８５】
また、ネットワークの運用状況、通信サービスの運用状況、通信サービスの予約・実行状況を密に連係させる機構を備えたことにより、通信サービスを提供するコネクションを適切に設定することができ、且つ、障害に強いリソースアロケーションを行うことができる。
【図面の簡単な説明】
【図１】本発明の通信サービスに応じたコネクション設定制御システムの機能ブロック図である。
【図２】本発明の運用リソースコリレーション機構部の連係構成を示す図である。
【図３】障害発生時の本発明によるコネクション設定制御の例を示す図である。
【図４】本発明による通信サービス予約登録時の各管理部の連係を示す図である。
【図５】本発明の通信サービス予約登録のフロー図である。
【図６】本発明の通信サービス予約登録のフロー図である。
【図７】本発明の通信サービス予約によるコネクション設定時の各データベースの連係を示す図である。
【図８】本発明の通信サービス予約によるコネクション設定のフロー図である。
【図９】本発明の通信サービス予約によるコネクション解除時の各管理部の連係を示す図である。
【図１０】本発明の通信サービス予約によるコネクション解除のフロー図である。
【図１１】本発明の障害発生時のコネクション制御における各データベースの連係を示す図である。
【図１２】本発明の障害発生時におけるコネクション制御のフロー図である。
【図１３】本発明の障害発生時におけるコネクション制御のフロー図である。
【図１４】本発明の障害発生時におけるコネクション制御のフロー図である。
【図１５】本発明を適用したネットワーク構成例を示す図である。
【符号の説明】
１００  コネクション設定制御システム
１  通信サービス予約実行管理部
２  通信サービス予約情報データベース部
３  コネクション設定制御部
４  コネクション設定情報データベース部
５  通信サービス運用管理部
６  通信サービス運用情報データベース部
７  ネットワーク運用管理部
８  ネットワーク運用情報データベース部
９  運用リソースコリレーション機構部
１０  通信機器管理部
１１  通信機器
【図１】
0003903239.tif 000002
【図２】
0003903239.tif 000003
【図３】
0003903239.tif 000004
【図４】
0003903239.tif 000005
【図５】
0003903239.tif 000006
【図６】
0003903239.tif 000007
【図７】
0003903239.tif 000008
【図８】
0003903239.tif 000009
【図９】
0003903239.tif 000010
【図１０】
0003903239.tif 000011
【図１１】
0003903239.tif 000012
【図１２】
0003903239.tif 000013
【図１３】
0003903239.tif 000014
【図１４】
0003903239.tif 000015
【図１５】
0003903239.tif 000016